(57)【特許請求の範囲】
【請求項１】
障害となる隣接チャネル信号の発生の際に中間周波信号路における帯域幅が低減される、ラジオ受信機（例えばＦＭ受信機）における隣接チャネル信号の検出および抑圧回路装置において、
前記中間周波信号路に設けられている中間周波フィルタ（５）の出力側は、帯域幅が変更可能である中間周波フィルタ装置（６，１４１ないし１４Ｎ）の入力側並びに第１のレベル評価回路（１１）の入力側に接続されており、
前記フィルタ装置（６，１４１ないし１４Ｎ）の出力側は、第２のレベル評価回路（１２）の入力側に接続されており、
前記レベル評価回路（１１，１２）の出力側は、前記中間周波フィルタ装置（６，１４１ないし１４Ｎ）の帯域幅を制御する比較回路（１３）に接続されており、
第１レベル評価回路（１１）に加えられるレベルが、第２レベル評価回路（１２）に加えられるレベルを上回る際に、第１レベル評価回路（１１）に加えられるレベルと、第２レベル評価回路（１２）に加えられるレベルと間のレベル差に対して複数の閾値が予め決められており、
前記レベル評価回路（１１，１２）の出力側は、前記中間周波フィルタ装置（６，１４１ないし１４Ｎ）の帯域幅を制御する比較回路（１３）に接続されており、
該比較回路（１３）を設計して、当該比較回路により、前記閾値を上回った際に前記中間周波信号路の帯域幅が、当該閾値に対して予め決められた値に設定されるようにしたことを特徴とする、
ラジオ受信機における隣接チャネル信号の検出および抑圧回路装置。
【請求項２】
前記レベル評価回路（１１，１２）の入力側はそれぞれ、整流器段および該整流器段に後置接続されている低域フィルタを有している、
請求項１記載のラジオ受信機における隣接チャネル信号の検出および抑圧回路装置。
【請求項３】
前記帯域幅が変化可能である中間周波フィルタ装置（６，１４１ないし１４Ｎ）は、異なった帯域幅の少なくとも２つのフィルタ（１４１，１４Ｎ）を有しており、該フィルタは前記比較回路によって制御されるスイッチ（６）を用いて前記中間周波信号路に接続可能である、
請求項１から３までのいずれか１項記載のラジオ受信機における隣接チャネル信号の検出および抑圧回路装置。
【請求項４】
前記比較回路（１３）は、論理回路として形成されている、
請求項１から４までのいずれか１項記載のラジオ受信機における隣接チャネル信号の検出および抑圧回路装置。
【発明の詳細な説明】
【０００１】
【産業上の利用分野】
本発明は、請求項１の上位概念に記載のラジオ受信機における隣接チャネル信号の検出および抑圧回路装置に関する。
【０００２】
【従来の技術】
この形式の回路装置は、隣接チャネルに属している送信機の送信波によって惹き起こされかつ例えば到達範囲または大きな周波数偏移のために受信される送信機の再生品質を損なう障害を抑圧するために用いられる。
【０００３】
殊にＡＭ受信機において、次のようにして中間周波帯域幅の調整を隣接送信機の送信波の受信強度に依存して行うことが公知である。即ち中間周波回路に結合されている、それぞれ１つの隣接送信機の送信波に同調されている２つの振動回路を設け、これら振動回路はそれぞれ整流器に出力を供給し、整流器の同一極性にて直列接続された出力電圧が中間周波帯域幅を調整するために用いられる。その際帯域幅調整は、中間周波振動回路の減衰ないし減衰解除または結合または離調によって行われる。
【０００４】
【発明の課題】
本発明の課題は、隣接チャネル信号によって障害を受けた送信機の送信波の満足な受信を可能にするラジオ受信機、例えばＦＭラジオ受信機における隣接チャネル信号の検出および抑圧回路装置を提供することである。
【０００５】
【発明の概要および効果】
この課題は本発明によれば、請求項１の特徴部分に記載の構成によって解決される。
【０００６】
本発明により得られる利点は殊に、僅かな回路技術コストしか要求しない回路装置が、隣接チャネル信号による障害を確実に検出しかつマルチパス受信、点火ノイズ等のような別の受信障害によって生じる誤った機能調整を回避する点にある。さらに、交通無線信号、ラジオデータシステム信号およびステレオ信号の受信の際に受信機の機能は維持される。さらに、障害パルス検出がＦＭ復調器の後で行われる通例の障害パルス除去回路において、機能の妨害は生じない。
【０００７】
本発明の有利な実施例はその他の請求項に記載されている。請求項２記載の回路装置によって有利には、中間周波信号路において異なったフィルタ帯域幅の個所に生じる信号レベルが検出される。請求項３記載の回路装置によって、中間周波信号路の帯域幅が前以て決められた帯域幅を有するフィルタの段階的な接続形成によって変化され、これにより信号歪は大幅に回避される。
【０００８】
【実施例】
次に本発明を図示の実施例につき図面を用いて詳細に説明する。
【０００９】
簡単に示されているＦＭ受信機において、アンテナ１に接続されている高周波前置段２の出力側は混合段３の入力側に接続されている。発振器４に接続されている混合段３の出力側は、増幅器段を備えている中間周波フィルタ５の入力側に接続されている。中間周波フィルタ５の出力側は、２つの切換レベルＩ，IIを有する電子的に制御可能なステップスイッチ６の第１のスライダＳ１に接続されている。このステップスイッチ６の第２のスライダＳ２は、中間周波増幅器７の入力側に接続されており、この中間周波増幅器に、ＦＭ復調器８，低周波増幅器９およびスピーカ１０が後置接続されている。ステレオ復調器，交通無線デコーダおよびラジオデータシステム復調器は図示されていない。第１のスライダＳ１は第１のレベル評価回路１１の入力側に接続されておりかつ第２のスライダＳ２は第２のレベル評価回路１２の入力側に接続されている。２つのレベル評価回路１１，１２の出力側は、比較回路１３の入力側に接続されており、この比較回路はその出力端子を介してステップスイッチ６のスライダＳ１，Ｓ２を同期して制御する。切換レベルＩ，IIの相互に対応している切換接点はそれぞれ、段階調整された帯域幅を有する中間周波フィルタ１４１ないし１４Ｎを介して接続されている。切換可能なフィルタ１４１ないし１４Ｎのうちで最大の帯域幅を有するフィルタ１４１は、つぎのように設定される。すなわち、それがスイッチオンされる際には、スライダＳ２における中間周波信号路の帯域幅が、スライダＳ１における中間周波信号路の帯域幅より狭く、かつ全体の信号路の中間周波帯域幅が、ＦＭ送信機の送信波の、制限されていない受信に対して通例の帯域幅に相応するように設計されるのである。
【００１０】
スライダＳ１，Ｓ２に生じる信号レベルは、例えば整流器および低域フィルタを有するレベル評価回路１１，１２を用いて検出されかつ比較回路１３に供給される。
【００１１】
隣接チャネル信号の受信による障害を受けていない送信機の送信波の受信の際には、フィルタ１４１の入力側および出力側におけるレベル、従ってスライダＳ１，Ｓ２におけるレベルはほぼ同じ値を有している、従ってフィルタ１４１はスイッチインされた状態にとどまる。しかし隣接チャネル送信機から到来する信号が中間周波信号路によって予め決められた周波数帯域において発生すると、第１のスライダＳ１における信号レベルは第２のスライダＳ２における信号レベルより著しく上昇する。これら信号レベルは比較回路１３において相互に比較される。第１レベル評価回路１１に加えられるレベルが、第２レベル評価回路１２に加えられるレベルを上回る際に、このレベル差に対応して複数の閾値と、これら閾値に対応する帯域幅を有するフィルタ１４ｉ（ｉ＝2，…，Ｎ）とが予め決められており、これらの予め決められた閾値を上回る場合、この閾値に対応する帯域幅を有するフィルタ１４ｉ（ただしｉ＝2,…,N）にステップスイッチ６を用いて切り換えられる。このようにして、隣接チャネル信号による障害のため受信に適しない送信機の送信波を満足な受信品質で受信することができる。このことは殊に、受信条件の変動にさらされているカーラジオに対して非常に有利である。
【００１２】
帯域幅を変化可能なフィルタ装置６，１４1ないし１４Nはフィルタの直列回路によっても形成することができ、その場合フィルタは制御される切換接点を用いて橋絡される。
【図面の簡単な説明】
【図１】本発明の回路装置のブロック回路略図である。
【符号の説明】
１  アンテナ、  ２  高周波入力段、  ３  混合段、  ４  発振器、  ５，１４1ないし１４N  中間周波フィルタ、  ６  ステップスイッチ、  ７  中間周波増幅器、  ８  ＦＭ復調器、  ９  低周波増幅器、  １０  スピーカ、  １１，１２  レベル評価回路、  １３  比較回路
【図１】
0003803390.tif 000002